(57)【特許請求の範囲】
【請求項１】
冷蔵温度に維持される第１冷蔵室と、第１冷蔵室よりも下方に配されて冷凍温度に維持される冷凍室と、第１冷蔵室と前記冷凍室との間に左右方向の一方に偏って配されるとともに冷蔵温度に維持される第２冷蔵室と、第２冷蔵室の側方に隣接して第１冷蔵室と前記冷凍室との間に配されるとともに冷凍温度に維持される冷凍区画部と、複数のフィンが並設されるフィン形成部を有した冷媒管の蛇行により複数段に形成される冷却器を配した冷気通路とを備え、前記冷気通路を介して冷気を第１冷蔵室、第２冷蔵室、前記冷凍区画部及び前記冷凍室に吐出する冷蔵庫において、
前記冷気通路が前記冷却器を設置して前記冷凍区画部の下方から第２冷蔵室の下方に亘って前記冷凍室の後方に設けられる冷却器室と、第２冷蔵室の後方を通ることなく前記冷却器室から前記冷凍区画部の後方を通って上方に延びる上部通路とを有し、
前記冷却器の最上段の前記フィン形成部が最下段の前記フィン形成部よりも小さい左右方向の幅に形成され、前記上部通路側に偏って配され、
前記第１冷蔵室と前記第２冷蔵室とを連通させる連通口と、前記第２冷蔵室を流通した冷気を前記冷却器室に戻す戻り口と、前記第２冷蔵室と前記戻り口とを連結させる戻り通路を有し、
前記連通口および前記戻り通路は、前記上部通路側とは反対側に偏って配置されることを特徴とする冷蔵庫。
【請求項２】
前記戻り口が前記冷却器室の前記上部通路と反対側の下部に設けられることを特徴とする請求項１に記載の冷蔵庫。
【請求項３】
前記冷却器を流出した冷媒を蓄積するアキュムレータを備え、前記アキュムレータが前記冷却器に対して前記上部通路の反対側の側方に配され、前記冷却器の下方に配される除霜用の除霜ヒータの一端が前記アキュムレータの下方まで延びて形成されることを特徴とする請求項１又は２に記載の冷蔵庫。
【請求項４】
前記除霜ヒータと、前記冷却器の上部の温度を検知する第１サーミスタと、前記アキュムレータの温度を検知する第２サーミスタとを備え、除霜運転を開始して第１サーミスタ及び第２サーミスタが所定の温度になると除霜運転を停止することを特徴とする請求項３に記載の冷蔵庫。
【請求項５】
前記冷却器と前記アキュムレータとを遮蔽する遮蔽板を設けたことを特徴とする請求項３又は４に記載の冷蔵庫。
【発明の詳細な説明】
【技術分野】
【０００１】
本発明は冷気通路を備えた冷蔵庫に関する。
【背景技術】
【０００２】
従来の冷蔵庫は特許文献１に開示されている。この冷蔵庫は断熱箱体の上部に貯蔵物を冷蔵保存する冷蔵室（第１冷蔵室）が配され、冷蔵室の下方には貯蔵物を冷蔵保存する野菜室（第２冷蔵室）が配される。野菜室の下方には貯蔵物を冷凍保存する冷凍室が上下に並設されている。
【０００３】
最下段の冷凍室の背面側には機械室が設けられ、機械室には冷凍サイクルを運転する圧縮機が配されている。
【０００４】
冷凍室、野菜室及び冷蔵室の後部には冷却器、送風ファン及びダンパを配して冷気が流通する冷気通路が設けられている。冷気通路には冷凍室に臨む吐出口及び戻り口、冷蔵室に臨む吐出口、野菜室に臨む戻り口がそれぞれ開口する。また、冷蔵室には冷気を野菜室に導く連通路が導出されている。
【０００５】
上記構成の冷蔵庫において、圧縮機及び送風ファンの駆動によって冷気通路を流通する空気と冷却器とが熱交換して生成された冷気が吐出口から冷凍室に吐出される。吐出口から吐出された冷気は冷凍室内を流通し、戻り口を介して冷却器に戻る。
【０００６】
また、ダンパが開かれると冷気は冷蔵室の吐出口から吐出され、連通路を介して野菜室内に流入する。野菜室内を流通した冷気は戻り口を介して冷却器に戻る。これにより、冷凍室、冷蔵室及び野菜室内が冷却される。
【先行技術文献】
【特許文献】
【０００７】
【特許文献１】特開平９−１１３１０８号公報
【発明の概要】
【発明が解決しようとする課題】
【０００８】
しかしながら、従来の冷蔵庫によると、冷却器で生成された冷気は野菜室の背面に配置された冷気通路を介して冷蔵室に流入する。このため、冷気が野菜室の後方を流通する際に、冷気の温度が上昇してしまう虞がある。従って、冷蔵庫の冷却能力が低下するという問題があった。
【０００９】
本発明は、冷却能力を向上できる冷蔵庫を提供することを目的とする。
【課題を解決するための手段】
【００１０】
上記目的を達成するために本発明の冷蔵庫は、冷蔵温度に維持される第１冷蔵室と、第１冷蔵室よりも下方に配されて冷凍温度に維持される冷凍室と、第１冷蔵室と前記冷凍室との間に左右方向の一方に偏って配されるとともに冷蔵温度に維持される第２冷蔵室と、第２冷蔵室の側方に隣接して第１冷蔵室と前記冷凍室との間に配されるとともに冷凍温度に維持される冷凍区画部と、複数のフィンが並設されるフィン形成部を有した冷媒管の蛇行により複数段に形成される冷却器を配した冷気通路とを備え、前記冷気通路を介して冷気を第１冷蔵室、第２冷蔵室、前記冷凍区画部及び前記冷凍室に吐出する冷蔵庫において、前記冷気通路が前記冷却器を設置して前記冷凍区画部の下方から第２冷蔵室の下方に亘って前記冷凍室の後方に設けられる冷却器室と、第２冷蔵室の後方を避けて前記冷却器室から前記冷凍区画部の後方を通って上方に延びる上部通路とを有し、前記冷却器の最上段の前記フィン形成部が最下段の前記フィン形成部よりも小さい左右方向の幅に形成され、前記上部通路側に偏って配されることを特徴とする。
【００１１】
また本発明は、上記構成の冷蔵庫において、前記冷却器の最上段の前記冷媒管が最下段の前記冷媒管よりも小さい左右方向の幅に形成されることを特徴としている。
【００１２】
また本発明は、上記構成の冷蔵庫において、前記冷却器室に冷気を戻す戻り口が前記冷却器室の前記上部通路と反対側の下部に設けられることを特徴とする。
【００１３】
また本発明は、上記構成の冷蔵庫において、前記冷却器を流出した冷媒を蓄積するアキュムレータを備え、前記アキュムレータが前記冷却器に対して前記上部通路の反対側の側方に配されることを特徴とする。
【００１４】
また本発明は、上記構成の冷蔵庫において、前記冷却器の下方に配される除霜用の除霜ヒータと、前記冷却器の上部の温度を検知する第１サーミスタと、前記アキュムレータの温度を検知する第２サーミスタとを備え、除霜運転を開始して第１サーミスタ及び第２サーミスタが所定の温度になると除霜運転を停止することを特徴とする。
【００１５】
また本発明は、前記冷却器と前記アキュムレータとを遮蔽する遮蔽板を設けたことを特徴とする。
【００１６】
また本発明は、上記構成の冷蔵庫において、前記上部通路の一方の側壁と前記冷却器室の上壁とを傾斜面により連結したことを特徴とする。
【発明の効果】
【００１７】
本発明によると、冷却器を配した冷却器室が冷凍区画部の下方から第２冷蔵室の下方に亘って冷凍室の後方に設けられ、冷却器室から上方に延びる上部通路が第２冷蔵室の後方を避けて冷凍区画部の後方を通る。このため、上部通路を流通する冷気の昇温が抑制され、冷蔵庫の冷却能力を向上することができる。
【００１８】
また、複数段に形成される冷却器の最上段のフィン形成部が最下段のフィン形成部よりも小さい左右方向の幅に形成され、上部通路側に偏って配される。これにより、冷却器室内を下方から上方に流通する冷気は左右方向の一方に偏る上部通路に導かれるため、最上段のフィン形成部の幅を狭くしても熱交換量の低下を抑制できる。従って、フィンを削減して冷蔵庫のコストを削減することができる。
【図面の簡単な説明】
【００１９】
【図１】本発明の第１実施形態の冷蔵庫を示す正面図
【図２】本発明の第１実施形態の冷蔵庫の本体部の正面図
【図３】図２のＡ−Ａ断面図
【図４】図２のＢ−Ｂ断面図
【図５】本発明の第１実施形態の冷蔵庫の冷凍冷気通路の下部及び冷却器室を示す斜視図
【図６】本発明の第１実施形態の冷蔵庫の冷却器を示す正面図
【図７】本発明の第１実施形態の冷蔵庫の野菜室を示す斜視図
【図８】本発明の第２実施形態の冷蔵庫の本体部の正面図
【図９】本発明の第３実施形態の冷蔵庫の本体部の正面図
【図１０】図９のＣ−Ｃ断面図
【発明を実施するための形態】
【００２０】
＜第１実施形態＞
以下に本発明の実施形態を図面を参照して説明する。図１は第１実施形態の冷蔵庫１の正面図を示している。冷蔵庫１は本体部２（図２参照）に設けられる複数の貯蔵室の前面にそれぞれ扉が配される。冷蔵庫１の上部には貯蔵物を冷蔵保存する冷蔵室（第１冷蔵室）４が配され、冷蔵室４の前面は観音開きの扉４Ｌ及び扉４Ｒにより開閉される。冷蔵庫１の下部には貯蔵物を冷凍保存する冷凍室６が配され、冷凍室６の前面は収納ケース６ｄ（図２参照）と一体の引出式の扉６ａにより開閉される。
【００２１】
冷蔵室４と冷凍室６との間には右方に偏って野菜室（第２冷蔵室）５が配される。野菜室５は冷蔵温度に維持されて野菜等の貯蔵物を冷蔵保存し、収納ケース５０（図２参照）と一体の引出式の扉５ａにより開閉される。
【００２２】
また、冷蔵室４と冷凍室６との間には野菜室５の左方に隣接して冷凍温度に維持される冷凍区画部２１（図２参照）が設けられる。冷凍区画部２１は上部に配される製氷室２５と下部に配される冷凍室２６とを有している。製氷室２５の前面は貯氷ケース２５ｂ（図２参照）と一体の引出式の扉２５ａにより開閉される。冷凍室２６の前面は収納ケース２６ｂ（図２参照）と一体の引出式の扉２６ａにより開閉される。
【００２３】
尚、扉５ａは冷蔵室４の扉４Ｒと同じ横幅に形成され、扉２５ａ、２６ａは冷蔵室４の扉４Ｌと同じ横幅に形成される。これにより、冷蔵庫１の美観を向上することができる。
【００２４】
図２は本体部２の正面図を示している。また、図３は図２のＡ−Ａ断面図を示し、図４は図２のＢ−Ｂ断面図を示している。本体部２は内箱と外箱との間に断熱材１３を充填した断熱箱体３により各貯蔵室を形成する。冷蔵室４と野菜室５との間及び冷蔵室４と製氷室２５との間は水平に配された仕切部１８によって仕切られる。野菜室５と冷凍室６との間は水平に配された仕切部１９によって仕切られる。野菜室５と冷凍区画部２１との間は鉛直に配された仕切部２０によって仕切られる。なお、仕切部に断熱材１３を充填すると、各貯蔵室間の温度差が大きい場合には仕切部近傍に貯蔵された貯蔵物の過冷却等による貯蔵物の弊害を防止することができる。このため、各貯蔵室間の温度差が大きい場合には貯蔵室を仕切る仕切部に断熱材１３を充填することが好ましい。
【００２５】
冷凍室２６と冷凍室６との間の前端部には仕切部１９と同じ高さに水平に配された仕切部３６が設けられる。製氷室２５と冷凍室２６との間の前端部には水平に配された仕切部３５が設けられる。製氷室２５、冷凍室２６及び冷凍室６は仕切部３５、３６の後方で互いに連通する。
【００２６】
冷蔵室４内には複数の棚４ｂ、４ｃ、４ｄ、４ｅが設けられる。下端の棚４ｅの下方には右側に偏って隔離室から成るチルド室７０が形成される。チルド室７０内には収納ケース７０ａが設けられる。チルド室７０の左方には収納ケース７１を配した小物室７３が隣接し、小物室７３の左方には製氷用の水を貯水する貯水タンク７２が配される。
【００２７】
また、野菜室５の収納ケース５０上には収納ケース５１が載置される。冷凍室６の収納ケース６ｄ上には収納ケース６ｃが載置され、収納ケース６ｃ上には収納ケース６ｂが載置される。
【００２８】
本体部２の下部には冷凍室６の後方に機械室３０が設けられる。機械室３０内には冷凍サイクルを運転する圧縮機３１が配される。
【００２９】
本体部２の後部には冷気が流通する冷気通路７が設けられる。冷気通路７は冷却器室１２、上部通路９、下部通路２９及び戻り通路３４を有している。冷却器室１２は冷凍室２６の下方から野菜室５の下方に亘って冷凍室６の後方に配され、冷却器１１が設置される。冷却器１１は機械室３０よりも上方であり、冷却器室１２の下端部には冷凍室６から冷気が戻る戻り口９ｃが設けられる。戻り口９ｃは左右方向に延びるとともに、右端部は上部通路９の反対側に設けられている。
【００３０】
上部通路９は冷却器室１２から上方に延び、下部通路２９は仕切板２７を介して冷却器室１２の前面に配される。戻り通路３４は野菜室５から上部通路９と反対側の冷凍室６の側壁に沿って下方に導出され、冷却器室１２の側壁１２ｄの下端部に設けられる戻り口１２ｃを介して連結される。この時、戻り口１２ｃは冷却器１１よりも下方に配されている。また、冷蔵室４の底壁を形成する仕切部１８には冷蔵室４と野菜室５とを連通させる連通口４ｆが設けられる。
【００３１】
上部通路９内には下方から送風ファン１０、ダンパ２３、送風ファン２４が配される。送風ファン１０は正面投影において仕切部３６に重なる位置に配される。下部通路２９は送風ファン１０の排気側で上部通路９に対して分岐して下方に延びる。ダンパ２３は冷蔵室４及び野菜室５の冷却時に開かれ、上部通路９のダンパ２３よりも上方に形成された冷蔵用通路８に冷気を導く。送風ファン２４はダンパ２３を開いた際に駆動される。なお、ダンパ２３よりも下方の上部通路９及び下部通路２９の前面はパネル７ａによりにより覆われる。また、上部通路９のダンパ２３よりも上方の冷蔵用通路８の前面はパネル７ｂにより覆われる。
【００３２】
冷蔵用通路８は冷蔵室４の背面及び天井面に沿って配され、冷蔵室４に臨む複数の吐出口８ａ〜８ｆが開口する。吐出口８ａは冷蔵室４の天井面上の冷蔵用通路８の前部に設けられる。吐出口８ｂ〜８ｄは各棚４ｂ〜４ｅの間に設けられる。下方の吐出口８ｅ、８ｆはチルド室７０内に臨む。
【００３３】
上部通路９のダンパ２３よりも下方は野菜室５を避けて製氷室２５及び冷凍室２６の後方を通り、製氷室２５に臨む吐出口９ａ及び冷凍室２６に臨む吐出口９ｂが開口する。下部通路２９には冷凍室６に臨む吐出口２９ａ〜２９ｄが開口する。吐出口２９ａ〜２９ｃは冷凍室２６の鉛直下方に上下方向に並設される。吐出口２９ｄは野菜室５の鉛直下方に配される。
【００３４】
図５は冷気通路７の上部通路９の下部及び冷却器室１２の斜視図を示している。図６は冷却器１１の正面図を示している。冷却器室１２内には下方から除霜ヒータ４６、冷却器１１、サーミスタ（第１サーミスタ）４５ａが配され、冷却器１１の右側方にはアキュムレータ４２、遮蔽板４４及びサーミスタ（第２サーミスタ）４５ｂが配されている。
【００３５】
除霜ヒータ４６は右端がアキュムレータ４２の下方まで延びて形成され、左端が冷却器１１の左端の下方まで延びて形成されている。また、除霜ヒータ４６はガラス管ヒータにより形成され、冷却器１１及びアキュムレータ４２の除霜を行う。冷却器１１は冷凍サイクルの低温部に配され、冷媒が流通する冷媒管４１を有している。冷媒管４１は上下方向及び前後方向に蛇行して複数段（本実施形態では７段）に形成され、下部が上部よりも図中、右方に延びて形成される。このため、冷却器１１の最上段の冷媒管４１の左右方向の幅Ｌ１は最下段の左右方向の幅Ｌ２よりも小さく形成される。
【００３６】
各段の冷媒管４１の水平部分には薄板状のフィン４０ａを左右に並設したフィン形成部４０が設けられる。冷却器１１の最上段のフィン形成部４０の左右方向の幅Ｌ３は最下段の左右方向の幅Ｌ４よりも小さく形成され、最上段のフィン形成部４０は上部通路９側に偏って配される。なお、本実施形態ではフィン形成部４０の左右方向の幅Ｌ３は幅Ｌ４の１／２以下で形成されている。また、最下段のフィン形成部４０のフィン４０ａのピッチ幅は他の段のピッチ幅に比べて大きく形成されている。
【００３７】
サーミスタ４５ａは冷却器１１の上部の温度を検知する。アキュムレータ４２は上部通路９と反対側の下部に設けられて最下段の冷媒管４１と接続する。アキュムレータ４２は冷媒管４１の冷媒を蓄積し、冷却器１１でガス化しきれなかった冷媒が液状のまま圧縮機３１に吸入されるのを防ぐ。
【００３８】
冷却器１１の左端部には複数段に跨る板状のエンドプレート４３が設けられ、右端部には複数段に跨る板状の遮蔽板４４が設けられる。
【００３９】
遮蔽板４４は屈曲してアキュムレータ４２の左方及び上方を覆い、冷却器１１に対して遮蔽する。これにより、冷却器室１２内で遮蔽板４４によって区画化された遮蔽室４４ａが形成される。サーミスタ４５ｂ（第２サーミスタ）は遮蔽室４４ａの外側のアキュムレータ４２の上部の左側に設けられ、アキュムレータ４２の温度を検知する。なお、サーミスタ４５ｂは除霜ヒータ４６の温度を直接検知するのではなく、アキュムレータ４２の温度を検知する位置に配されればよいため、遮蔽室４４ａの内側（例えばアキュムレータ４２の上部）に配されていてもよい。
【００４０】
上部通路９の右側の側壁９ｄと冷却器室１２の上壁１２ｂとの間は傾斜面１２ａにより連結される。送風ファン１０と戻り口１２ｃとを結ぶ直線Ｄは傾斜面１２ａに対して略平行になっている。これにより、戻り口１２ｃを介して冷却器室１２内に冷気が戻った際、冷却器室１２の右端部の気流を停留させずに上部通路９に導くことができる。従って、冷気通路７の圧力損失を低減することができる。
【００４１】
図７は野菜室５の概略斜視図を示している。野菜室５の底壁を形成する仕切部１９の後部と左側壁を形成する仕切部２０の後部との間には傾斜面１２ａとの干渉を回避する回避部５ｄが設けられる。回避部５ｄは仕切部１９、仕切部２０により一体で形成され、回避部５ｄ内には断熱材１３が充填されている。尚、野菜室５内の収納ケース５０（図４参照）の側壁と底壁との間には回避部５ｄとの干渉を回避する面取り（不図示）が形成される。
【００４２】
上記構成の冷蔵庫１において、圧縮機３１及び送風ファン１０の駆動によって冷却器室１２を流通する空気と冷却器１１とが熱交換して冷気が生成される。冷却器１１で生成された冷気は上部通路９を流通し、吐出口９ａから製氷室２５に吐出され、吐出口９ｂから冷凍室２６に吐出される。また、冷気は下部通路２９を流通して吐出口２９ａ、２９ｂ、２９ｃから冷凍室６に吐出される。製氷室２５、冷凍室２６及び冷凍室６内に吐出された冷気は各貯蔵室内を流通し、戻り口９ｃを介して冷却器１１に戻る。この時、上部通路９が野菜室５の後方を避けて冷凍区画部２１の後方を通るため、野菜室５の温度による冷気の昇温が抑制される。これにより、製氷室２５、冷凍室２６及び冷凍室６内の冷却が行われる。
【００４３】
ダンパ２３が開かれると上部通路９の冷蔵用通路８に冷気が流入し、吐出口８ａ、８ｂ、８ｃ、８ｄ、８ｅ、８ｆから冷蔵室４に吐出される。吐出された冷気は冷蔵室４の前方へ流通した後に下方に流通し、連通口４ｆから流出する。これにより、冷蔵室４内の冷却が行われる。
【００４４】
その後、連通口４ｆを介して冷気は野菜室５内に吐出され、野菜室５内の前部から後部へと流通し、戻り通路３４を介して戻り口１２ｃから冷却器室１２に戻る。この時、冷却器１１の最上段のフィン形成部４０の幅Ｌ３が最下段のフィン形成部４０の幅Ｌ４よりも小さく、最上段が上部通路９側に偏って配される。冷却器室１２内を下方から上方に流通する冷気は左方に偏る上部通路９に導かれるため、冷却器１１の最上段のフィン形成部４０の幅Ｌ３を狭くしても熱交換量の低下を抑制できる。従って、フィン４０ａを削減して冷蔵庫１のコストを削減することができる。また、冷却器１１の最上段の冷媒管４１の幅Ｌ１が最下段の冷媒管４１の幅Ｌ２よりも小さいので、冷却器１１を小型化して冷却器室１２の省スペース化を図ることができる。
【００４５】
また、所定の時期に冷却器１１の除霜運転が行われる。除霜運転が開始されると圧縮機３１が停止され、除霜ヒータ４６が駆動される。除霜ヒータ４６の輻射熱によって冷却器１１及びアキュムレータ４２が昇温され、サーミスタ４５ａ、４５ｂが所定の温度（本実施形態では１０℃）に到達すると除霜ヒータ４６が停止して除霜運転を停止する。
【００４６】
この時、サーミスタ４５ａは除霜ヒータ４６から離れた冷却器１１の上部の温度を検知する。サーミスタ４５ｂは低温の冷媒が貯留して冷却器１１よりも低温のアキュムレータ４２の温度を検知する。このため、サーミスタ４５ａ及びサーミスタ４５ｂの検知によって除霜運転を停止することにより、冷却器１１全体を確実に除霜温度に昇温して除霜することができる。
【００４７】
また、遮蔽板４４によって冷却器１１とアキュムレータ４２との間が遮蔽される。このため、冷気の戻り口９ｃ、１２ｃから冷気が冷却器室１２に戻ってくると、冷気がアキュムレータ４２に衝突することを避けて冷却器１１と衝突し、冷却器１１と熱交換することができる。これにより、熱交換効率を向上することができる。
【００４８】
本実施形態によると、冷却器１１を配した冷却器室１２が冷凍区画部２１の下方から野菜室５の下方に亘って冷凍室６の後方に設けられ、冷却器室１２から上方に延びる上部通路９が冷凍室６の後方を避けて冷凍区画部２１の後方を通る。このため、上部通路９を流通する冷気の昇温が抑制され、冷蔵庫１の冷却能力を向上することができる。
【００４９】
また、複数段に形成される冷却器１１の最上段のフィン形成部４０が最下段のフィン形成部４０よりも小さい左右方向の幅に形成され、上部通路９側に偏って配される。これにより、冷却器室１２内を下方から上方に流通する冷気は左右方向の一方に偏る上部通路９に導かれるため、最上段のフィン形成部４０の幅を狭くしても熱交換量の低下を抑制できる。従って、フィン４９ａを削減して冷蔵庫１のコストを削減することができる。
【００５０】
また、冷却器１１の最上段の冷媒管４１の幅Ｌ１が最下段の冷媒管４１の幅Ｌ２よりも小さいので、冷却器１１を小型化して冷却器室１２の省スペース化を図ることができ、冷蔵庫１の容積効率を向上することができる。
【００５１】
また、冷却器室１２に冷気を戻す戻り口１２ｃ、９ｃが冷却器室１２の上部通路９と反対側の下部に設けられている。このため、戻り口１２ｃ、９ｃから上部通路９に流通する全体冷気を冷却器１１に確実に接触させることができ、冷蔵庫１の熱交換効率を向上できる。
【００５２】
また、アキュムレータ４２が冷却器１１に対して上部通路９の反対側の側方に配されるため、冷却器１１の上方に配置するよりも冷気流通の圧力損失を低減することができる。また、冷凍区画部２１の下方から野菜室５の下方に亘って形成される冷却器室１２の左右方向のスペースを有効利用してアキュムレータ４２を設置できる。
【００５３】
また、除霜運転を開始してサーミスタ４５ａ及びサーミスタ４５ｂが所定温度になると除霜運転を停止するので、冷却器１１全体を確実に除霜することができる。
【００５４】
また、冷却器１１とアキュムレータ４２とを遮蔽する遮蔽板４４を設けたので、冷気がアキュムレータ４２を避けて冷却器１１と直接熱交換できるため、熱交換効率を向上できる。
【００５５】
また、上部通路９の側壁９ｄと冷却器室１２の上壁１２ｂとを傾斜面１２ａにより連結したため、戻り口１２ｃを介して冷却器室１２内に冷気が戻った際、冷却器室１２の右端部の気流を停留させずに上部通路９に導くことができる。
【００５６】
＜第２実施形態＞
次に、図８は第２実施形態の冷蔵庫１の本体部２の正面図を示している。説明の便宜上、前述の図１〜図７に示す第１実施形態と同様の部分には同一の符号を付している。本実施形態は第１実施形態に対して上部通路９の形状が異なっている。その他の部分は第１実施形態と同様である。
【００５７】
上部通路９には送風ファン１０とダンパ２３との間を鉛直に延びる仕切壁３２ｃにより左右に分割された分割通路３２ａ、３２ｂが設けられる。左方の分割通路３２ｂには吐出口９ａ、９ｂが開口し、右方の分割通路３２ａによって送風ファン１０とダンパ２３とが連結される。
【００５８】
これにより、ダンパ２３を開いた際にダンパ２３よりも上方の冷蔵用通路８に冷気を円滑に導くことができる。また、吐出口９ａ、９ｂからの冷気吐出による冷蔵用通路８に導かれる冷気の減少を防止できる。従って、冷蔵室４及び野菜室５の冷却時の冷凍室６、２６及び製氷室２５の過冷却を低減することができる。
【００５９】
また、上部通路９に分割通路３２ａ、３２ｂを設けない場合、冷却器１１が目詰まりして送風ファン１０から製氷室２５の吐出口９ａまでの上部通路９の風量が低下すると、ダンパ２３が開いて送風ファン２４を駆動させた時に、吐出口９ａから冷気を吸い込む逆流が発生することがある。しかしながら、本実施形態では送風ファン１０から送出された冷気がすぐに分割通路３２ａおよび分割通路３２ｂにより分岐されるので、吐出口９ａからの逆流を確実に防止し、冷蔵庫１の冷却効率を向上できる。
【００６０】
本実施形態によると、第１実施形態と同様の効果を得ることができる。また、上部通路９が分割通路３２ａ、３２ｂを有するので、冷蔵用通路８に冷気を円滑に導くことができるとともに、冷凍室６、２６及び製氷室２５の過冷却を低減することができる。
【００６１】
尚、本実施形態において、上部通路９を仕切壁３２ｃによって前後方向に分割し、分割通路３２ａを分割通路３２ｂの後方に配置してもよい。
【００６２】
＜第３実施形態＞
次に、図９は第３実施形態の冷蔵庫１の本体部２の正面図を示し、図１０は図９のＣ−Ｃ断面図を示している。説明の便宜上、前述の図１〜図７に示す第１実施形態と同様の部分には同一の符号を付している。本実施形態は第１実施形態に対して送風ファン３３が設けられている点が異なっている。その他の部分は第１実施形態と同様である。
【００６３】
送風ファン３３は吐出口２９ｄの後方に設けられている。冷却器１１、送風ファン１０、送風ファン３３の駆動により、冷凍室６内に冷気が吐出される。この時、吐出口２９ｄが送風ファン１０と離間していても、送風ファン３３により冷気は吐出口２９ｄから冷凍室６内に確実に吐出される。これにより冷気が吐出口２９ａ〜２９ｄから分散して吐出され、冷凍室６内の温度を均一化できる。なお、吐出口２９ｄを冷凍室６の右端部に複数設けてもよい。
【００６４】
本実施形態によると、第１実施形態と同様の効果を得ることができる。また、送風ファン３３を設けたことにより、冷凍室６内の温度を均一化できる。尚、第２実施形態に送風ファン３３を設けてもよい。
【産業上の利用可能性】
【００６５】
本発明によると、冷気通路を備えた冷蔵庫に利用することができる。
【符号の説明】
【００６６】
１      冷蔵庫
２      本体部
３      断熱箱体
４      冷蔵室（第１冷蔵室）
４ｂ、４ｃ、４ｄ、４ｅ    棚
４ｆ    連通口
５      野菜室（第２冷蔵室）
５ａ    扉
５ｂ    側壁
５ｃ    後壁
５ｄ    回避部
６      冷凍室
６ａ    扉
６ｂ、６ｃ、６ｄ  収納ケース
７      冷気通路
７ａ、７ｂ  パネル
８      冷蔵用通路
８ａ、８ｂ、８ｃ、８ｄ、８ｅ、８ｆ    吐出口
９      上部通路
９ａ、９ｂ    吐出口
９ｃ    戻り口
９ｄ    側壁
１０    送風ファン
１１    冷却器
１２    冷却器室
１２ａ  傾斜面
１２ｂ  上壁
１２ｃ  戻り口
１２ｄ  側壁
１３    断熱材
１４    外箱
１５    内箱
１７    収納ケース
１８、１９、２０    仕切部
２１    冷凍区画部
２３    ダンパ
２４    送風ファン
２５    製氷室
２５ａ  扉
２５ｂ  貯氷ケース
２６    冷凍室
２６ａ  扉
２６ｂ  収納ケース
２７    仕切板
２９    下部通路
２９ａ、２９ｂ、２９ｃ、２９ｄ  吐出口
３０    機械室
３１    圧縮機
３２ａ    分割通路
３２ｂ    分割通路
３３      送風ファン（第２送風機）
３４      戻り通路
３５、３６      仕切部
４０    フィン形成部
４０ａ    フィン
４１    冷媒管
４２    アキュムレータ
４３    エンドプレート
４４    遮蔽板
４４ａ  遮蔽室
４５ａ  サーミスタ（第１サーミスタ）
４５ｂ  サーミスタ（第２サーミスタ）
４６    除霜ヒータ
５０    収納ケース
５１    小物ケース
７０    チルド室
７０ａ  収納ケース
７１    収納ケース
７２    貯水タンク
７３    小物室
【図１】
0006714970.tif 000002
【図２】
0006714970.tif 000003
【図３】
0006714970.tif 000004
【図４】
0006714970.tif 000005
【図５】
0006714970.tif 000006
【図６】
0006714970.tif 000007
【図７】
0006714970.tif 000008
【図８】
0006714970.tif 000009
【図９】
0006714970.tif 000010
【図１０】
0006714970.tif 000011